(57)【特許請求の範囲】
【請求項１】
車両のシフトレバー(11)を挿入して該シフトレバー(11)の動きを許容する開口部(13)が設けられ、該開口部(13)周縁に支持壁(19)が裏面側に向かって突設されたインジケータパネル本体(3)と、上記開口部(13)に外壁面が上記支持壁(19)の内壁面に沿うように挿入されて上記インジケータパネル本体(3)に組み付けられた装飾用筒状部材(5)とからなる樹脂製インジケータパネルの組付構造であって、
上記筒状部材(5)は表面がメッキ処理され、かつ該筒状部材(5)の外壁面には、該外壁面に対して傾斜する係合面(29a)を有する一対の係合片部(29)が筒状部材(5)挿入方向と交差する方向に間隔をあけて突設され、
一方、上記インジケータパネル本体(3)の支持壁(19)は上記開口部(13)の周方向に連続又は間欠して延び、かつ上記支持壁(19)の内壁面には該内壁面に対して傾斜する係合面(39a)を有する一対の被係合部(39)が上記係合片部(29)に対応するように筒状部材(5)挿入方向と交差する方向に間隔をあけて形成され、
上記筒状部材(5)をインジケータパネル本体(3)の開口部(13)に挿入して各々の係合面(29a,39a)同士を係合させることにより、筒状部材(5)がインジケータパネル本体(3)に組み付けられていることを特徴とする樹脂製インジケータパネルの組付構造。
【請求項２】
請求項１に記載の樹脂製インジケータパネルの組付構造において、
上記筒状部材(5)の外壁面及び上記インジケータパネル本体(3)の支持壁(19)における内壁面のいずれか一方には、筒状部材(5)挿入方向に延びる位置決め片部(31)が形成され、いずれか他方には、上記位置決め片部(31)が係合する位置決め凹部(45)が形成されていることを特徴とする樹脂製インジケータパネルの組付構造。
【請求項３】
請求項２に記載の樹脂製インジケータパネルの組付構造において、
上記位置決め片部(31)及び位置決め凹部(45)は、上記係合片部(29)及び被係合部(39)の一対の係合面(29a,39a)間に形成されていることを特徴とする樹脂製インジケータパネルの組付構造。
【請求項４】
請求項１に記載の樹脂製インジケータパネルの組付構造において、
上記インジケータパネル本体(3)の開口部(13)は長孔形状に形成されているとともに、上記筒状部材(5)は長円形状に形成され、上記係合片部(29)は筒状部材(5)の対向する両長辺側の外壁面に形成されているとともに、上記被係合部(39)は支持壁(19)の対向する両長辺側の内壁面に形成されていることを特徴とする樹脂製インジケータパネルの組付構造。
【発明の詳細な説明】
【技術分野】
【０００１】
この発明は、樹脂製インジケータパネルの組付構造の改良に関し、特に樹脂製インジケータパネルに設けられた開口部周りの意匠性向上対策に関するものである。
【背景技術】
【０００２】
特許文献１には、トランスミッションのギアチェンジをするためのシフトレバーが基部周辺をレバーブーツで覆われて運転席横のコンソールに取り付けられ、上記レバーブーツの外周縁が環状の取付部材によりコンソールの開口に組み付けられてコンソールの裏面側でネジ止めされた取付構造が開示されている。
【０００３】
一方、上記レバーブーツに代えて樹脂製のインジケータパネルを採用し、該インジケータパネルに形成された長孔形状の開口部にシフトレバーを移動可能に挿入した取付構造もある。このインジケータパネルでは、上記開口部から内部が見えないようにするためや、或いは開口部周りを補強するために開口部周縁に支持壁が裏面側に向かって突設されている。この支持壁は車室内に露出して乗員からよく見えるため、樹脂製の装飾用筒状部材を上記開口部に挿入して支持壁を覆い隠すことが考えられる。
【特許文献１】特開２００１−２４６９５８号公報（段落０００９、００１１欄、図２）
【発明の開示】
【発明が解決しようとする課題】
【０００４】
しかし、上記の後者のようにインジケータパネルに筒状部材を取り付ける場合、特許文献１のようにネジを用いると、部品点数が増加するとともに取付作業を要するため煩雑である。また、材料を少なくしてコスト削減を図るために筒状部材を薄く成形すると、筒状部材の支持壁の両長辺側が内側に倒れて変形しやすく、意匠性の低下を招くことになる。また、ネジ止めをする代わりに蟻継ぎのような係合手段で筒状部材の支持壁の両長辺側を支持壁に係合させれば当該両長辺側が内側に倒れ変形することがない。しかし、筒状部材に形成された蟻は他の箇所に比べて厚肉になっているため、熱収縮差により蟻に対応する筒状部材の内壁面にヒケが生じて、装飾用の部材である筒状部材の役割が損ねられてしまう。
【０００５】
この発明はかかる点に鑑みてなされたものであり、その目的とするところは、部品点数の増加や取付作業の煩雑化を招くことなく、装飾用の筒状部材を見栄えよく簡単に樹脂製インジケータパネル本体に組み付けることができる組付構造を提供することである。
【課題を解決するための手段】
【０００６】
上記の目的を達成するため、この発明は、樹脂製インジケータパネル及び筒状部材の壁部に係合部を形成し、該係合部の形状に工夫を凝らしたことを特徴とする。
【０００７】
具体的には、車両のシフトレバーを挿入して該シフトレバーの動きを許容する開口部が設けられ、該開口部周縁に支持壁が裏面側に向かって突設されたインジケータパネル本体と、上記開口部に外壁面が上記支持壁の内壁面に沿うように挿入されて上記インジケータパネル本体に組み付けられた装飾用筒状部材とからなる樹脂製インジケータパネルの組付構造を対象とし、次のような解決手段を講じた。
【０００８】
すなわち、請求項１に記載の発明は、上記筒状部材は表面がメッキ処理され、かつ該筒状部材の外壁面には、該外壁面に対して傾斜する係合面を有する一対の係合片部が筒状部材挿入方向と交差する方向に間隔をあけて突設され、一方、上記インジケータパネル本体の支持壁は上記開口部の周方向に連続又は間欠して延び、かつ上記支持壁の内壁面には該内壁面に対して傾斜する係合面を有する一対の被係合部が上記係合片部に対応するように筒状部材挿入方向と交差する方向に間隔をあけて形成され、上記筒状部材をインジケータパネル本体の開口部に挿入して各々の係合面同士を係合させることにより、筒状部材がインジケータパネル本体に組み付けられていることを特徴とする。
【０００９】
請求項２に記載の発明は、請求項１に記載の発明において、上記筒状部材の外壁面及び上記インジケータパネル本体の支持壁における内壁面のいずれか一方には、筒状部材挿入方向に延びる位置決め片部が形成され、いずれか他方には、上記位置決め片部が係合する位置決め凹部が形成されていることを特徴とする。
【００１０】
請求項３に記載の発明は、請求項２に記載の発明において、上記位置決め片部及び位置決め凹部は、上記係合片部及び被係合部の一対の係合面間に形成されていることを特徴とする。
【００１１】
請求項４に記載の発明は、請求項１に記載の発明において、上記インジケータパネル本体の開口部は長孔形状に形成されているとともに、上記筒状部材は長円形状に形成され、上記係合片部は筒状部材の対向する両長辺側の外壁面に形成されているとともに、上記被係合部は支持壁の対向する両長辺側の内壁面に形成されていることを特徴とする。
【発明の効果】
【００１２】
請求項１に係る発明によれば、樹脂製インジケータパネル本体及び筒状部材の各々の壁部に係合箇所を形成して該係合箇所を介して筒状部材を樹脂製インジケータパネルに組み付けているので、ネジが不要であり部品点数の増加を招かない。また、インジケータパネル本体に筒状部材を挿入するだけで簡単に組み付けることができる。また、両係合面が壁面に対して傾斜して形成されているので、両長辺側が内側に倒れて変形することがなく、互いが確実に係合することができる。
【００１３】
加えて、一対の係合片部を間隔をあけて形成しているので該係合片部間の壁部の肉厚が従来の厚肉の蟻に比べて薄くなり、その周りの壁部との熱収縮差がないので当該箇所に対応する筒状部材の内壁面にヒケが生じず意匠性の低下を招かない。
【００１４】
さらに、インジケータパネルのシフトレバーを挿入する開口部周縁に突設された支持壁を筒状部材で覆い隠してインジケータパネルの意匠性を向上させることができる。また、筒状部材の表面をメッキ処理することによって意匠性を向上させることができる。さらに、上記メッキ処理により筒状部材の剛性を向上させることができるので、該筒状部材を薄くしても変形を確実に防止することができる。
【００１５】
請求項２に係る発明によれば、インジケータパネル本体に筒状部材を挿入する際に位置決め片部を位置決め凹部に挿入することによって位置決めを行って係合片部と被係合部とを正確に対応させて、簡単にインジケータパネル本体の開口部の正確な位置に筒状部材を挿入することができる。
【００１６】
請求項３に係る発明によれば、上記係合片部及び被係合部の一対の係合面間に位置決め片部及び位置決め凹部が形成されているので、位置決め位置とその両側にある係合面の位置とが近くにあり、係合位置の精度が向上し、筒状部材をインジケータパネル本体の開口部にスムーズに確実に挿入することができる。
【００１７】
請求項４に係る発明によれば、短辺側の面より変形しやすい筒状部材の長辺側の変形を係合片部と被係合部との係合により規制して意匠性の低下を防止することができる。したがって、コスト削減のため材料を少なくして筒状部材を全体に亘って薄く成形しても、上記のように長辺側の変形を規制することができる。
【発明を実施するための最良の形態】
【００１８】
以下、この発明の実施形態について図面に基づいて説明する。
【００１９】
図１はこの発明の実施形態に係る車両用樹脂製インジケータパネル１の斜視図である。図２は、該インジケータパネル１の横断面図である。該インジケータパネル１は、図３に示すインジケータパネル本体３と、図４に示す装飾用筒状部材５とを備えている。
【００２０】
上記インジケータパネル本体３は、上面部３ａと該上面部３ａ周縁全体から下方に延びる側壁部３ｂが形成されている。該側壁部３ｂの車体前後方向に位置する対向壁には、係合孔７を有する係合凸部９が垂設され、運転席と助手席との間に設けられたＡＴチェンジベース（図示せず）の係合爪部を上記係合孔７に係合させることにより、インジケータパネル本体３がＡＴチェンジベースに取り付けられるようになっている。
【００２１】
上記上面部３ａには、トランスミッションのギアチェンジをするためのシフトレバー１１（図１，３に仮想線で示す）を挿入して該シフトレバー１１の動きを許容する長孔形状の開口部１３が該インジケータパネル本体３の中央に車体前後方向に短辺側を向けて形成され、該開口部１３の隣には、インジケータプレート１５が組み付けられる開口孔１７が形成されている。図８にその組付け状態を示す。上記インジケータパネル本体３には、図４に示す長円形状の筒状部材５が上記開口部１３に挿入されて組み付けられ、該筒状部材５は装飾用に表面がメッキ処理されている（図示せず）。
【００２２】
上記インジケータパネル本体３の開口部１３周縁には、板状の支持壁１９が周方向に連続するように裏面側に向かって一体に突設され、上記開口部１３に筒状部材５を挿入した状態で該筒状部材５が上記支持壁１９に沿うようになっている。なお、上記支持壁１９は開口部１３の周方向に連続せず一箇所又は二箇所以上で間欠していてもよい。また、上記インジケータパネル本体３の開口部１３周縁には上記筒状部材５の挿入をガイドするためにテーパ面２１が形成されている。該支持壁１９の両短辺側１９ａには、上下方向に延びるスリット２３が２列形成され、該スリット２３間の壁部でもって開口部１３内に突出する舌片部２５が形成されている。
【００２３】
上記筒状部材５の両短辺側５ａ外壁面には、係止部２７がそれぞれ一体に突設され、上記筒状部材５を開口部１３に上方から挿入すると、上記支持壁１９側の舌片部２５が上記係止部２７に押されて撓み、該係止部２７が上記舌片部２５下端を通過することで該舌片部２５が元位置に復帰することにより、図８（ｄ）、図９（ｄ）に示すように、上記係止部２７が上記舌片部２５下端に係止して上記筒状部材５の上側への離脱を規制している。
【００２４】
次に、図３に示すインジケータパネル本体３に筒状部材５を組み付けた場合の両長辺側５ｂの変形を防止する構造（図２にIVで示す）について説明する。上記筒状部材５の対向する両長辺側５ｂの外壁面には、図５及び図７（ｂ）に示すように、外壁面に対して傾斜する係合面２９ａを有する一対の係合片部２９が筒状部材５挿入方向と交差する方向（筒状部材５の長手方向）に間隔をあけて逆ハの字状に突設されて形成されている。上記一対の係合片部２９間（一対の係合面２９ａ間）には、筒状部材５挿入方向に延びる位置決め片部３１が挿入方向と平行な方向で両長辺側５ｂの外壁面に凸状に形成されている。該位置決め片部３１は、図８（ａ）、図９（ａ）にも示すように、下にいくにしたがって筒状部材５厚み方向の幅が広く形成されており、下端に傾斜部３１ａが形成されている。これら係合片部２９及び位置決め片部３１周辺の下半領域では、図８（ｂ）、図９（ｂ）にも示すように、上記外壁面が僅かに凹陥した凹部３３が形成されている。さらに、上記係合片部２９及び位置決め片部３１の両側には、図６、図８（ｃ）及び図９（ｃ）にも示すように、外壁面が僅かに凹陥して矩形凹部３５が形成され、該矩形凹部３５の下端辺部を係止面部３７としている。
【００２５】
一方、上記インジケータパネル本体３の支持壁１９の対向する両長辺側１９ｂにおける内壁面には、図５，図７（ａ）に示すように、上記内壁面に対してハの字状に傾斜する係合面３９ａを有する一対の凸状被係合部３９が上記係合片部２９に対応するように筒状部材５挿入方向と交差する方向（開口部１３の長手方向）に間隔をあけて形成されている。上記係合片部２９と被係合部３９とは、図９（ｂ）にも示すように、インジケータパネル本体３に筒状部材５を組み付けた状態で、筒状部材５外壁面の凹部３３に被係合部３９が嵌合して凹部３３の上端辺部に被係合部３９の上端が当接し、上記筒状部材５が開口部１３内に位置決めされている。また、この状態で上記係合片部２９の係合面２９ａが被係合部３９の係合面３９ａに係合して筒状部材５の長手方向及び短手方向への動きを規制している。この係合状態で、筒状部材５の凹部３３と上記支持壁１９と間に隙間４１が形成されている（図５参照）。好ましくは、係合片部２９が形成される箇所に対応する筒状部材５の内壁面にヒケが生じるの防止するため、係合片部２９の厚みは筒状部材５の長辺側５ｂの厚みより薄く形成するのがよい。さらに、インジケータパネル本体３の支持壁１９の厚みが筒状部材５の両長辺側５ｂの厚みより厚く形成されている方が、支持壁１９の剛性が向上してインジケータパネル本体３に筒状部材５を組み付けた場合の両長辺側５ｂの変形を防止する機能が増大する。
【００２６】
上記一対の被係合部３９間（一対の係合面３９ａ間）には、筒状部材５挿入方向に延びる一対の突条部４３が僅かな間隔をあけて突設され、両突条部４３間に位置決め凹部４５が形成されている。該位置決め凹部４５は、図９（ａ）にも示すように、下にいくにしたがって支持壁１９の厚み方向の幅が狭く形成され、下端に段部４７が形成されている。また、上記支持壁１９の両長辺側１９ｂ内壁面には、突条部４３及び被係合部３９の下端を連結する連結段部４９が上記位置決め凹部４５の段部４７に連続するように形成されている。インジケータパネル本体３に筒状部材５を組み付けた状態で、上記位置決め片部３１が位置決め凹部４５に上方から挿入されて、互いの下端は筒状部材５の上記傾斜部３１ａが支持壁１９の段部４７に当接するとともに、位置決め片部３１の突出端面が位置決め凹部４５に挿入されて突条部４３間の支持壁１９に当接し、上記筒状部材５が開口部１３内に位置決めされている。
【００２７】
なお、上記とは逆に、上記位置決め片部３１をインジケータパネル本体３の支持壁１９における内壁面に形成するとともに、上記該位置決め凹部４５を上記筒状部材５の長辺側５ｂの外壁面に形成してもよい。また、好ましくは、位置決め片部３１と位置決め凹部４５が係合片部２９と被係合部３９の間の中央に形成されていると位置決めがしやすい。
【００２８】
次に、図３に示すインジケータパネル本体３に筒状部材５を組み付けた場合の筒状部材５の脱落を防止する構造（図２にＶで示す）及び長辺側１９ｂ，５ｂ端末の係合構造について説明する。上記被係合部３９の両側には、図６に拡大して示すように、筒状部材５挿入方向と平行方向に延びる一対の縦係合部５０ａと該縦係合部５０ａの下端を連結する横係合部５０ｂとで構成されたＵ字状の係合突起部５０が形成されている。上記インジケータパネル本体３に筒状部材５を組み付けた状態で、上記係合突起部５０が、図９（ｃ）にも示すように、上記筒状部材５の矩形凹部３５に嵌合して矩形凹部３５の上端辺部に縦係合部５０ａの上端が当接しているとともに、上記係止面部３７が横係合部５０ｂの下面に係合して上記筒状部材５が開口部１３内に位置決めされている。
【００２９】
そして、上記筒状部材５を上記インジケータパネル本体３に組み付けるには、まず筒状部材５を開口部１３に上方からテーパ面２１で案内しながら挿入していく。この過程で、位置決め片部３１の下端が位置決め凹部４５に上方から挿入され、これにより係合片部２９が被係合部３９に精度よく対応し、両者の係合面２９ａ，３９ａが係合する。この間、上記支持壁１９側の舌片部２５が筒状部材５の上記係止部２７に押されて撓む（図９（ｄ）仮想線参照）。さらに挿入が進むと、上記位置決め片部３１の傾斜部３１ａが突条部４３間の段部４７に上方から当接するとともに（図９（ａ）参照）、上記係合片部２９の下端が連結段部４９に当接し、上記筒状部材５の矩形凹部３５に支持壁の係合突起部５０が嵌合されて、矩形凹部３５の上端辺部に縦係合部５０ａの上端が当接しているとともに、上記係止面部３７が横係合部５０ｂの下面に係合する。また、被係合部３９の上端が凹部３３の上端辺部に当接する。さらに、係止部２７が上記舌片部２５下端を通過して該舌片部２５が元位置に復帰することにより、上記係止部２７が上記舌片部２５下端に係止する。これにより、筒状部材５がインジケータパネル本体３に組み付けられる。
【００３０】
したがって、実施形態によると、インジケータパネル本体３及び筒状部材５の各々の壁部に係合箇所（係合片部２９及び被係合部３９）を形成して該係合箇所を介して筒状部材５をインジケータパネル１に組み付けているので、ネジが不要であり部品点数の増加を招かない。また、インジケータパネル本体３に筒状部材５を挿入するだけで簡単に組み付けることができる。さらに、両係合面２９ａ，３９ａが壁面に対して傾斜して形成されているので、両長辺側１９ｂが内側に倒れて変形することがなく、互いが確実に係合することができる。また、インジケータパネル本体３に組み付けられた筒状部材５の抜け防止構造として、上記支持壁１９側及び筒状部材５の両長辺側１９ｂ，５ｂにおいては、上記筒状部材５の矩形凹部３５に支持壁の係合突起部５０が嵌合し、一方、両短辺側１９ａ，５ａにおいては、係止部２７が舌片部２５下端に係止しているので、互いが一層確実に係合することにより抜け防止ができる。
【００３１】
加えて、一対の係合片部２９を間隔をあけて形成しているので、該係合片部２９及び該係合片部２９間の壁部の肉厚が従来の厚肉の蟻に比べて、薄く形成することができ、その周りの壁部との熱収縮差がないので、当該箇所に対応する筒状部材５の内壁面にヒケが生じない。
【００３２】
また、インジケータパネル本体３に筒状部材５を挿入する際に位置決め片部３１を位置決め凹部４５に挿入することによって位置決めを行って係合片部２９と被係合部３９とを正確な位置に対応させて、簡単にインジケータパネル本体３の開口部１３の正確な位置に筒状部材５を挿入することができる。
【００３３】
さらに、上記係合片部２９及び被係合部３９の一対の係合面２９ａ，３９ａ間に位置決め片部３１及び位置決め凹部４５が形成されているので、位置決め位置とその両側にある係合面２９ａ，３９ａの位置とが近くにあり、係合位置の精度が向上し、筒状部材５をインジケータパネル本体３の開口部１３にスムーズに確実に挿入することができる。
【００３４】
さらにまた、筒状部材の短辺側５ａの面より変形しやすい長辺側５ｂの変形を係合片部２９と被係合部３９との係合により規制して意匠性の低下を防止することができる。したがって、コスト削減のため材料を少なくして筒状部材５を全体に亘って薄く成形しても、上記のように長辺側５ｂの変形を規制することができる。
【００３５】
また、インジケータパネル１のシフトレバー１１を挿入する開口部１３周縁に突設された支持壁１９を筒状部材５で覆い隠してインジケータパネル１の意匠性を向上させることができる。また、筒状部材５の表面をメッキ処理することによって意匠性を向上させることができる。さらに、上記メッキ処理により筒状部材５の剛性を向上させることができるので、該筒状部材５を薄くしても変形を確実に防止することができる。
【産業上の利用可能性】
【００３６】
この発明は、樹脂製インジケータパネルに設けられた開口部周りに筒状部材を組み付ける構造について有用である。
【図面の簡単な説明】
【００３７】
【図１】インジケータパネルの斜視図である。
【図２】インジケータパネルの横断面図である。
【図３】インジケータパネル本体の斜視図である。
【図４】筒状部材の斜視図である。
【図５】図２のIV部拡大図である。
【図６】図２のＶ部拡大図である。
【図７】（ａ）は図３のVI−Ｉ部拡大図、（ｂ）は図４のVI−II部拡大図である。
【図８】（ａ）は、図２のＡ−Ａ線における断面図、（ｂ）は、図２のＢ−Ｂ線における断面図、（ｃ）は、図２のＣ−Ｃ線における断面図、（ｄ）は、図２のＤ−Ｄ線における断面図である。
【図９】（ａ）は、図８のVIII−Ｉ線における断面図、（ｂ）は、図８のVIII−II線における断面図、（ｃ）は、図８のVIII−III線における断面図、（ｄ）は、図８のVIII−IV線における断面図である。
【符号の説明】
【００３８】
１              インジケータパネル
３              インジケータパネル本体
５              筒状部材
１３              開口部
１９              支持壁
２９              係合片部
３９              被係合部
２９ａ，３９ａ    係合面
３１ 位置決め片部
４５ 位置決め凹部
【図１】
0004800789.tif 000002
【図２】
0004800789.tif 000003
【図３】
0004800789.tif 000004
【図４】
0004800789.tif 000005
【図５】
0004800789.tif 000006
【図６】
0004800789.tif 000007
【図７】
0004800789.tif 000008
【図８】
0004800789.tif 000009
【図９】
0004800789.tif 000010